(57)【要約】【課題】  基板に形成された配線パターンの検査点を記号により特定する基板検査装置によって得られた不良配線パターンの検出結果を用いて、基板に形成された配線パターンの検査点を位置座標により特定する基板検査装置によって、当該不良配線パターンの再検査を行う。【解決手段】  基板６の表面に形成された配線パターン６１，６２を示すピン番号と、ピン番号で示された配線パターンの位置を示すＸＹ座標とを関連付けて記憶するテーブル記憶部３１１と、検査対象となる配線パターンを示すピン番号を、ネットワーク５を介して検査対象情報として受信する通信部３０５と、通信部３０５により受信されたピン番号に関連付けられてテーブル記憶部３１１に記憶されている座標情報によって示される位置に移動プローブ３０１，３０２を位置させると共に、当該位置の配線パターンを検査する検査制御部３０４とを備えた。【選択図】      図４
2005069864.tif 000002
【特許請求の範囲】
【請求項１】
基板の表面に形成された検査対象となる配線パターンの:検査点の位置を座標で示した座標情報に基づいて、当該配線パターンに検査用接触子を位置させて当該配線パターンの検査を行う基板検査装置であって、
前記基板の表面に形成された配線パターンの検査点を示す検査点記号と前記検査点記号で示された配線パターンの検査点の位置を示す座標情報とを対応付けて記憶するテーブル記憶手段と、
検査対象となる配線パターンの検査点を示す前記検査点記号を、当該配線パターンを検査するための情報である検査対象情報として受け付ける受付手段と、
前記受付手段により受け付けられた前記検査点記号に対応付けられて前記テーブル記憶手段に記憶されている座標情報によって示される検査点位置に前記検査用接触子を位置させて、当該位置の検査点を有する配線パターンを検査する検査制御手段とを備えたことを特徴とする基板検査装置。
【請求項２】
前記受付手段は、前記検査対象となる配線パターンの良否を判定するための基準となる検査基準情報を、さらに含んで前記検査対象情報として受け付け、
前記検査制御手段は、前記受付手段により受け付けられた検査対象情報に含まれる検査基準情報に基づいて当該配線パターンの検査を行うことを特徴とする請求項１記載の基板検査装置。
【請求項３】
前記受付手段は、前記検査対象となる配線パターンについての検査の種類を示す検査種類情報を、さらに含んで前記検査対象情報として受け付け、
前記検査制御手段は、複数種類の検査を実行可能に構成されると共に、前記受付手段により受け付けられた検査対象情報に含まれる検査種類情報によって示される種類の検査を、前記検査用接触子を位置させた配線パターンに対して行うことを特徴とする請求項１又は２記載の基板検査装置。
【請求項４】
基板の表面に形成された検査対象となる配線パターンに検査用接触子を接触させて当該配線パターンの検査を行う第１、第２の基板検査装置を備え、
前記第１の基板検査装置は、前記第２の基板検査装置との間で通信を用いてデータ送信可能な送信手段を備えると共に、前記配線パターンの検査結果が不良であった場合、前記送信手段を用いて当該配線パターンの検査点を示す検査点記号を検査対象情報として前記第２の基板検査装置へ送信するものであり、
前記第２の基板検査装置は、請求項１記載の基板検査装置であり、
前記第２の基板検査装置が備える前記受付手段は、通信によって前記第１の基板検査装置から送信されてきた前記検査対象情報を受信することにより、前記検査対象情報を受け付けるものであることを特徴とする基板検査システム。
【請求項５】
前記第１の基板検査装置は、検査対象となる配線パターンの良否を判定するための基準となる検査基準情報に基づいて当該配線パターンの検査を行うと共に、前記配線パターンの検査結果が不良であった場合、前記検査対象情報に当該検査基準情報をさらに含んで前記送信手段を用いて前記第２の基板検査装置へ送信するものであり、
前記第２の基板検査装置が備える前記検査制御手段は、前記受付手段により受け付けられた検査対象情報に含まれる検査基準情報に基づいて当該配線パターンの検査を行うことを特徴とする請求項４記載の基板検査システム。
【請求項６】
前記第１の基板検査装置は、前記配線パターンの検査結果が不良であった場合、前記検査対象情報に、当該配線パターンに対して行った検査の種類を示す検査種類情報をさらに含んで前記送信手段を用いて前記第２の基板検査装置へ送信するものであり、
前記第２の基板検査装置が備える前記検査制御手段は、複数種類の検査を実行可能に構成されると共に、前記受付手段により受け付けられた検査対象情報に含まれる検査種類情報によって示される種類の検査を、前記検査用接触子を位置させた配線パターンに対して行うことを特徴とする請求項４又は５記載の基板検査システム。
【請求項７】
前記第１の基板検査装置が備える検査用接触子は、基板の表面に形成された検査対象となる複数の配線パターンの検査点にそれぞれに同時に接触可能にされた複数の検査用接触子を有する多針状接触子であり、
前記検査点記号は、前記多針状接触子の各検査用接触子にそれぞれ対応するものであり、
前記第２の基板検査装置が備える検査用接触子は、前記座標情報に基づいて移動可能にされた移動式接触子であることを特徴とする請求項４〜請求項６のいずれかに記載の基板検査システム。
【請求項８】
基板の表面に形成された検査対象となる配線パターンの検査点の位置を座標で示した座標情報に基づいて、当該配線パターンの検査点に検査用接触子を位置させて当該配線パターンの検査を行う基板検査方法であって、
前記基板の表面に形成された配線パターンの検査点を示す検査点記号と前記検査点記号で示された配線パターンの検査点の位置を示す座標情報とを対応付けて記憶し、
検査対象となる配線パターンの検査点を示す検査点記号と当該検査点を有する配線パターンの良否を判定する検査の基準となる検査基準情報とを示す検査対象情報の入力を受け付け、
前記受け付けた検査対象情報における前記検査点記号に対応付けられて前記記憶された座標情報によって示される位置に、前記検査用接触子を位置させると共に、当該検査対象情報により示される検査基準情報に基づいて当該位置の検査点を有する配線パターンを検査することを特徴とする基板検査方法。
【請求項９】
基板の表面に形成された検査対象となる配線パターンの検査点の位置を座標で示した座標情報に基づいて、当該配線パターンの検査点に検査用接触子を位置させて当該配線パターンの検査を行う基板検査プログラムであって、
前記基板の表面に形成された配線パターンの検査点を示す検査点記号と前記検査点記号で示された配線パターンの位置を示す座標情報とを対応付けて記憶するテーブル記憶手段、
検査対象となる配線パターンを示す前記検査点記号を、当該配線パターンを検査するための情報である検査対象情報として受け付ける受付手段、
前記受付手段により受け付けられた前記検査点記号に対応付けられて前記テーブル記憶手段に記憶されている座標情報によって示される位置に前記検査用接触子を位置させて、当該位置の検査点を有する配線パターンを検査する検査制御手段としてコンピュータを機能させることを特徴とする基板検査プログラム。
【請求項１０】
基板の表面に形成された検査対象となる配線パターンを示す検査点記号に基づいて、当該配線パターンに検査用接触子を位置させて当該配線パターンの検査を行うと共に当該検査結果が不良の場合に当該配線パターンを前記検査点記号によって示した第１の検査対象情報を生成する第３の基板検査装置と、前記配線パターンの検査点の位置を座標で示した座標情報に基づいて、当該配線パターンの検査点に検査用接触子を位置させて当該配線パターンの検査を行う第４の基板検査装置との間で通信を用いてデータ送受信可能に構成された基板検査補助装置であって、
前記基板検査補助装置は、前記基板の表面に形成された配線パターンの検査点を示す検査点記号と前記検査点記号で示された配線パターンの検査点の位置を示す座標情報とを対応付けて記憶するテーブル記憶手段と、
前記第３の基板検査装置によって生成された前記第１の検査対象情報を、通信を用いて受信する受信手段と、
前記受信手段により受信された前記第１の検査対象情報によって示される前記検査点記号と関連付けて前記テーブル記憶手段に記憶されている座標情報を用いて、検査対象となる配線パターンの検査点の位置を座標で示した第２の検査対象情報を生成する変換手段と、
前記変換手段により生成された第２の検査対象情報を、通信を用いて前記第４の基板検査装置へ送信する送信手段とを備えたことを特徴とする基板検査補助装置。
【発明の詳細な説明】
【技術分野】
【０００１】
本発明は、被検査基板の表面に形成された配線パターンの検査点に接触子を位置させて当該検査点を有する配線パターンを検査する基板検査装置、及び基板検査システムに関する。そして、このような基板検査装置に利用される基板検査方法及び基板検査プログラムに関する。また、このような基板検査システムに利用される基板検査補助装置に関する。尚、この発明は、プリント配線基板に限らず、例えば、フレキシブル基板、多層配線基板、液晶ディスプレイやプラズマディスプレイ用の電極板、及び半導体パッケージ用のパッケージ基板やフィルムキャリアなど種々の基板における電気的配線の検査に適用でき、この明細書では、それら種々の配線基板を総称して「基板」と称する。
【背景技術】
【０００２】
従来、基板に形成された配線パターンの導通や、各配線パターン間の短絡不良の有無を検査する基板検査装置として、被検査基板上の検査対象配線パターンの検査点の位置をＸＹ座標により示した座標情報に応じて移動式の検査用接触子を検査対象配線パターンの検査点に移動させると共に接触させて、当該検査対象配線パターン上の検査点間における電気抵抗や検査点とべた導体や導電板などの間の静電容量等を測定し、その測定値を予め検査対象配線パターン毎に設定された検査基準値と比較することにより、当該検査対象配線パターンが導通していることを検査する導通検査や異なる配線パターン同士が短絡していないことを検査する短絡検査等を行って、当該検査対象配線パターンの良否を判定する基板検査装置が知られている（例えば、特許文献１参照。）。
【０００３】
また、移動させる必要のない複数の検査用接触子を基板に形成された複数の配線パターンの検査点に同時に押し当てて接触させ、それら複数の検査用接触子に選択的に電気信号を与えて基板検査を行うことにより、検査時間を低減できる基板検査装置も知られている（例えば、特許文献２参照。）。
【０００４】
ところで、基板を量産する製造ラインにおいて、基板に形成された配線パターンの検査を行う場合、検査時間を低減して生産性を向上させる必要から、上記複数の検査用接触子を用いる方式の基板検査装置が主に用いられている。また、このような基板検査装置を用いた量産ラインでの基板検査において、不良と判定された基板に対しては、再検査を行って、本当に当該基板の配線パターンに不良箇所があるのか、あるいは検査上の問題、例えば検査用接触子と検査対象配線パターンとの間の接触が不十分である等の検査機側の問題であるのかを確認するようにしている場合がある。
【特許文献１】特開平９−１７８７７１号公報
【特許文献２】特開２００２−９０４１０号公報
【発明の開示】
【発明が解決しようとする課題】
【０００５】
ところで、上述のように、量産ラインでの基板検査において不良と判定された基板に対して再検査をする際、同じ基板検査装置を用いて再度基板検査を繰り返すとすると、最初の基板検査結果が不良となった原因が基板検査装置側に有った場合には、再検査を行っても再び同じ結果になってしまい、再検査を行う意味が没却されてしまう。また、再検査を行うために、量産ラインでの基板検査と同じ基板検査装置をもう一台用意することも考えられるが、複数の検査用接触子を用いる方式の基板検査装置は、複数の検査用接触子の配列を被検査基板の配線パターンにあわせる必要から被検査基板の種類毎に専用の治具を作成する必要があり、高価である。
【０００６】
そこで、検査時間を低減可能な複数の検査用接触子を用いる方式の基板検査装置を、最初の基板検査に用い、検査機のコストを低減可能な移動式検査用接触子を用いる方式の基板検査装置を、基板の再検査に用いることが考えられる。
【０００７】
一方、複数の検査用接触子を用いる方式の基板検査装置と、移動式の検査用接触子を用いる方式の基板検査装置とで検査対象配線パターンを特定するために用いられている情報が異なる。具体的には、複数の検査用接触子を用いる方式の基板検査装置においては、検査対象配線パターン上の検査点と各検査用接触子とが１対１で接触されるので、各検査用接触子を特定することで、各検査用接触子に接触する配線パターンを特定するようにされている。すなわち、複数の検査用接触子を用いる方式の基板検査装置においては、各検査用接触子を特定可能に記号が付与されており、この各検査用接触子に付与された記号を用いて各検査対象配線パターンの検査点が特定される。従って、複数の検査用接触子を用いる方式の基板検査装置により配線パターンの不良が検出された場合、当該不良配線パターンに対応する検査用接触子に付与された記号によって、当該不良配線パターンが示されることとなる。
【０００８】
他方、移動式の検査用接触子を用いる方式の基板検査装置においては、検査対象配線パターンの検査点の位置がＸＹ座標で示され、このＸＹ座標を用いて各検査対象配線パターンの検査点が特定される。そのため、移動式の検査用接触子を用いる方式の基板検査装置においては、前記複数の検査用接触子に付与された記号で示されている不良配線パターンを特定することができず、上述のように記号で示されている不良配線パターンの再検査を行うことができないという不都合があった。
【０００９】
本発明は、このような問題に鑑みて為された発明であり、基板に形成された配線パターンの検査点を記号により特定する基板検査装置によって得られた不良配線パターンの検出結果を用いて、基板に形成された配線パターンの検査点を位置座標により特定する基板検査装置によって、当該不良配線パターンの再検査を行うことができる基板検査装置、基板検査方法、基板検査プログラム、基板検査システム、及び基板検査補助装置を提供することを目的とする。
【課題を解決するための手段】
【００１０】
上述の目的を達成するために、本発明の第１の手段に係る基板検査装置は、基板の表面に形成された検査対象となる配線パターンの:検査点の位置を座標で示した座標情報に基づいて、当該配線パターンに検査用接触子を位置させて当該配線パターンの検査を行う基板検査装置であって、前記基板の表面に形成された配線パターンの検査点を示す検査点記号と前記検査点記号で示された配線パターンの検査点の位置を示す座標情報とを対応付けて記憶するテーブル記憶手段と、検査対象となる配線パターンの検査点を示す前記検査点記号を、当該配線パターンを検査するための情報である検査対象情報として受け付ける受付手段と、前記受付手段により受け付けられた前記検査点記号に対応付けられて前記テーブル記憶手段に記憶されている座標情報によって示される検査点位置に前記検査用接触子を位置させて、当該位置の検査点を有する配線パターンを検査する検査制御手段とを備えたことを特徴としている。
【００１１】
さらに、上述の基板検査装置において、前記受付手段は、前記検査対象となる配線パターンの良否を判定するための基準となる検査基準情報を、さらに含んで前記検査対象情報として受け付け、前記検査制御手段は、前記受付手段により受け付けられた検査対象情報に含まれる検査基準情報に基づいて当該配線パターンの検査を行うことを特徴としている。
【００１２】
さらに、上述の基板検査装置において、前記受付手段は、前記検査対象となる配線パターンについての検査の種類を示す検査種類情報を、さらに含んで前記検査対象情報として受け付け、前記検査制御手段は、複数種類の検査を実行可能に構成されると共に、前記受付手段により受け付けられた検査対象情報に含まれる検査種類情報によって示される種類の検査を、前記検査用接触子を位置させた配線パターンに対して行うことを特徴としている。
【００１３】
そして、本発明の第２の手段に係る基板検査システムは、基板の表面に形成された検査対象となる配線パターンに検査用接触子を接触させて当該配線パターンの検査を行う第１、第２の基板検査装置を備え、前記第１の基板検査装置は、前記第２の基板検査装置との間で通信を用いてデータ送信可能な送信手段を備えると共に、前記配線パターンの検査結果が不良であった場合、前記送信手段を用いて当該配線パターンの検査点を示す検査点記号を検査対象情報として前記第２の基板検査装置へ送信するものであり、前記第２の基板検査装置は、請求項１記載の基板検査装置であり、前記第２の基板検査装置が備える前記受付手段は、通信によって前記第１の基板検査装置から送信されてきた前記検査対象情報を受信することにより、前記検査対象情報を受け付けるものであることを特徴としている。
【００１４】
さらに、上述の基板検査システムにおいて、前記第１の基板検査装置は、検査対象となる配線パターンの良否を判定するための基準となる検査基準情報に基づいて当該配線パターンの検査を行うと共に、前記配線パターンの検査結果が不良であった場合、前記検査対象情報に当該検査基準情報をさらに含んで前記送信手段を用いて前記第２の基板検査装置へ送信するものであり、前記第２の基板検査装置が備える前記検査制御手段は、前記受付手段により受け付けられた検査対象情報に含まれる検査基準情報に基づいて当該配線パターンの検査を行うことを特徴としている。
【００１５】
さらに、上述の基板検査システムにおいて、前記第１の基板検査装置は、前記配線パターンの検査結果が不良であった場合、前記検査対象情報に、当該配線パターンに対して行った検査の種類を示す検査種類情報をさらに含んで前記送信手段を用いて前記第２の基板検査装置へ送信するものであり、前記第２の基板検査装置が備える前記検査制御手段は、複数種類の検査を実行可能に構成されると共に、前記受付手段により受け付けられた検査対象情報に含まれる検査種類情報によって示される種類の検査を、前記検査用接触子を位置させた配線パターンに対して行うことを特徴としている。
【００１６】
さらに、上述の基板検査システムにおいて、前記第１の基板検査装置が備える検査用接触子は、基板の表面に形成された検査対象となる複数の配線パターンの検査点にそれぞれに同時に接触可能にされた複数の検査用接触子を有する多針状接触子であり、前記検査点記号は、前記多針状接触子の各検査用接触子にそれぞれ対応するものであり、前記第２の基板検査装置が備える検査用接触子は、前記座標情報に基づいて移動可能にされた移動式接触子であることを特徴としている。
【００１７】
また、本発明の第３の手段に係る基板検査方法は、基板の表面に形成された検査対象となる配線パターンの検査点の位置を座標で示した座標情報に基づいて、当該配線パターンの検査点に検査用接触子を位置させて当該配線パターンの検査を行う基板検査方法であって、前記基板の表面に形成された配線パターンの検査点を示す検査点記号と前記検査点記号で示された配線パターンの検査点の位置を示す座標情報とを対応付けて記憶し、検査対象となる配線パターンの検査点を示す検査点記号と当該検査点を有する配線パターンの良否を判定する検査の基準となる検査基準情報とを示す検査対象情報の入力を受け付け、前記受け付けた検査対象情報における前記検査点記号に対応付けられて前記記憶された座標情報によって示される位置に、前記検査用接触子を位置させると共に、当該検査対象情報により示される検査基準情報に基づいて当該位置の検査点を有する配線パターンを検査することを特徴としている。
【００１８】
また、本発明の第４の手段に係る基板検査プログラムは、基板の表面に形成された検査対象となる配線パターンの検査点の位置を座標で示した座標情報に基づいて、当該配線パターンの検査点に検査用接触子を位置させて当該配線パターンの検査を行う基板検査プログラムであって、前記基板の表面に形成された配線パターンの検査点を示す検査点記号と前記検査点記号で示された配線パターンの位置を示す座標情報とを対応付けて記憶するテーブル記憶手段、検査対象となる配線パターンを示す前記検査点記号を、当該配線パターンを検査するための情報である検査対象情報として受け付ける受付手段、前記受付手段により受け付けられた前記検査点記号に対応付けられて前記テーブル記憶手段に記憶されている座標情報によって示される位置に前記検査用接触子を位置させて、当該位置の検査点を有する配線パターンを検査する検査制御手段としてコンピュータを機能させることを特徴としている。
【００１９】
また、本発明の第５の手段に係る基板検査補助装置は、基板の表面に形成された検査対象となる配線パターンを示す検査点記号に基づいて、当該配線パターンに検査用接触子を位置させて当該配線パターンの検査を行うと共に当該検査結果が不良の場合に当該配線パターンを前記検査点記号によって示した第１の検査対象情報を生成する第３の基板検査装置と、前記配線パターンの検査点の位置を座標で示した座標情報に基づいて、当該配線パターンの検査点に検査用接触子を位置させて当該配線パターンの検査を行う第４の基板検査装置との間で通信を用いてデータ送受信可能に構成された基板検査補助装置であって、前記基板検査補助装置は、前記基板の表面に形成された配線パターンの検査点を示す検査点記号と前記検査点記号で示された配線パターンの検査点の位置を示す座標情報とを対応付けて記憶するテーブル記憶手段と、前記第３の基板検査装置によって生成された前記第１の検査対象情報を、通信を用いて受信する受信手段と、前記受信手段により受信された前記第１の検査対象情報によって示される前記検査点記号と関連付けて前記テーブル記憶手段に記憶されている座標情報を用いて、検査対象となる配線パターンの検査点の位置を座標で示した第２の検査対象情報を生成する変換手段と、前記変換手段により生成された第２の検査対象情報を、通信を用いて前記第４の基板検査装置へ送信する送信手段とを備えたことを特徴としている。
【発明の効果】
【００２０】
このような構成の基板検査装置、基板検査方法、及び基板検査プログラムは、検査対象となる配線パターンの検査点を示す記号から、当該配線パターンの位置を表す座標情報を得ることができるので、基板に形成された配線パターンを記号により特定する基板検査装置によって得られた不良配線パターンの検出結果に基づいて、基板に形成された配線パターンの検査点を位置座標により特定する基板検査装置によって、当該不良配線パターンの再検査を行うことができる。
【００２１】
また、このような構成の基板検査システムは、基板に形成された配線パターンの検査点を記号により特定する第１の基板検査装置によって、配線パターンの不良を検出することができると共に、第１の基板検査装置によって検出された不良配線パターンの検査点を示す記号に基づいて、基板に形成された配線パターンの検査点を位置座標により特定する第２の基板検査装置によって、当該不良配線パターンの再検査を行うことができる。
【００２２】
また、このような構成の基板検査補助装置は、第３の基板検査装置から受信した不良配線パターンの検査点を示す記号に基づいて、不良配線パターンの検査点の位置を示す座標情報を、基板に形成された配線パターンの検査点を位置座標により特定する第４の基板検査装置へ、送信することができるので、基板に形成された配線パターンを記号により特定する基板検査装置によって得られた不良配線パターンの検出結果に基づいて、基板に形成された配線パターンの検査点を位置座標により特定する基板検査装置に、当該不良配線パターンの再検査を行わせることができる。
【発明を実施するための最良の形態】
【００２３】
以下、本発明に係る実施形態を図面に基づいて説明する。なお、各図において同一の符号を付した構成は、同一の構成であることを示し、その説明を省略する。図１は、本発明の一実施形態に係る基板検査システムの構成の一例を示す図である。図１に示す基板検査システム１００は、基板検査装置１，２、再検査用基板検査装置３、及びサーバ４を備える。また、基板検査装置１，２、再検査用基板検査装置３、及びサーバ４は、ネットワーク５を介して相互にデータを送受信可能に接続されている。
【００２４】
図２は、基板検査装置１の構成の一例を説明するための図である。図２に示す基板６は、基板検査装置１の検査対象となるプリント配線基板である。基板６の表面には、例えば、配線パターン６１，６２が形成され、各配線パターン上には、パッドＡ１，Ａ２，Ａ３，Ｂ１，Ｂ２，Ｂ３，Ｂ４が形成されている。また、パッドＡ１，Ａ２，Ａ３は、配線パターン６１によって相互に接続され、パッドＢ１，Ｂ２，Ｂ３，Ｂ４は、配線パターン６２によって相互に接続されている。これらのパッドは、各配線の端部に設けられ、外部の回路に接続される。又、プリント配線基板によっては、ＩＣ(Integrated Circuit)等の電子部品が半田付けされるようパッドが配列されたものもある。
【００２５】
また、図２に示す基板検査装置１は、多針状プローブ１０１、切替部１０２、抵抗測定部１０３、検査制御部１０４、及び通信部１０５を備える。多針状プローブ１０１は、検査用の接触子１１１，１１２，１１３，１１４，１１５，１１６，１１７を一体に保持して多針状に構成されている。また、多針状プローブ１０１は、検査制御部１０４からの制御信号に応じて昇降する図略の昇降装置によって昇降可能にされている。
【００２６】
そして、基板６が図略の基板ホルダーによって検査位置に保持された状態で、昇降装置によって多針状プローブ１０１が下降されると、接触子１１１，１１２，１１３，１１４，１１５，１１６，１１７が、それぞれパッドＡ１，Ａ２，Ａ３，Ｂ１，Ｂ２，Ｂ３，Ｂ４と接触する。また、接触子１１１，１１２，１１３，１１４，１１５，１１６，１１７には、各接触子を識別するための識別子として、それぞれピン番号（検査点記号）「１１１」，「１１２」，「１１３」，「１１４」，「１１５」，「１１６」，「１１７」が付与されている。なお、多針状プローブ１０１によって一体に保持される接触子は、７つに限られず、基板６の表面に形成されたパッドの数に応じて適宜増減されるものであり、例えば、実用装置においては、数千本程度設けられている。
【００２７】
切替部１０２は、接触子１１１，１１２，１１３，１１４，１１５，１１６，１１７と、抵抗測定部１０３との間の接続を切り替えるためのスイッチアレー等から構成され、検査制御部１０４からのピン番号を指定する制御信号に応じて接触子１１１，１１２，１１３，１１４，１１５，１１６，１１７の中から指定された二つの接触子を抵抗測定部１０３へ接続する。
【００２８】
抵抗測定部１０３は、切替部１０２によって抵抗測定部１０３に接続された、接触子１１１，１１２，１１３，１１４，１１５，１１６，１１７のうちのいずれか二つの間に生じる電気抵抗を測定する。具体的には、例えば切替部１０２によって接触子１１１と接触子１１２とが抵抗測定部１０３に接続されたとき、抵抗測定部１０３は、接触子１１１と接触子１１２との間に所定の検査電圧を印加すると共に接触子１１１と接触子１１２との間に流れる電流を測定し、その測定電流値と検査電圧とから得られる抵抗値を示すデータを検査制御部１０４へ出力する。なお、抵抗測定部１０３は、測定電流値を検査制御部１０４へ出力する構成としてもよい。
【００２９】
通信部１０５は、基板検査装置２、再検査用基板検査装置３、及びサーバ４と、基板検査装置１との間でネットワーク５を介して相互にデータを送受信可能にするための通信インターフェイス回路である。
【００３０】
検査制御部１０４は、基板検査装置１全体の動作を司るもので、例えば基板検査装置１の動作を制御するための制御プログラムや検査対象となる配線の良否を判定するための判定プログラム等を記憶するＲＯＭ(Read Only Memory)、プログラムの実行中や実行後に生じるデータを一時的に保管するＲＡＭ(Random Access Memory)、及び制御プログラム等をＲＯＭから読み出して実行するＣＰＵ(Central Processing Unit)等から構成される。また、検査制御部１０４は、基板データ記憶部１２１、及び検査箇所データ記憶部１２２を備える。また、検査制御部１０４は、前記判定プログラムを実行することにより、判定部１２３として機能する。
【００３１】
基板データ記憶部１２１は、例えばハードディスク装置等から構成される記憶部であり、検査対象となる基板６に形成された配線パターンを、パッドＡ１，Ａ２，Ａ３，Ｂ１，Ｂ２，Ｂ３，Ｂ４、及びこれらパッド相互間の電気的な接続関係を示すネットデータとして記憶する。例えば、配線パターン６１のネットデータＮＥＴ１は、配線パターン６１に接続されているパッドと相対応する接触子のピン番号によって、「ＮＥＴ１＝１１１，１１２，１１３」と表される。同様に、配線パターン６２のネットデータＮＥＴ２は、「ＮＥＴ２＝１１４，１１５，１１６，１１７」と表される。
【００３２】
検査箇所データ記憶部１２２は、抵抗測定部１０３により測定された抵抗値から検査対象となる配線パターンの良否判定を行うための基準値となる検査基準情報と、各配線パターンを検査するための検査点となるパッドに対応する接触子のピン番号と、検査の種類を示す検査種類情報とを関連付けて検査箇所データとして記憶する。図３は、検査箇所データ記憶部１２２に記憶されている検査箇所データの一例を示す図である。図３に示す検査箇所データにおいては、配線パターン６１のネットデータＮＥＴ１のうち、ピン番号「１１１」を代表ピンとしてピン番号「１１１」と、他のピン番号「１１２」，「１１３」との間の基準値が導通検査のための検査基準情報として記憶され、配線パターン６２のネットデータＮＥＴ２のうち、ピン番号「１１４」を代表ピンとしてピン番号「１１４」と、他のピン番号「１１５」，「１１６」，「１１７」との間の基準値が導通検査のための検査基準情報として記憶され、さらにネットデータＮＥＴ１，ＮＥＴ２の各代表ピン同士の間の基準値が短絡検査のための検査基準情報として記憶されている。このように、代表ピンは、各ネットデータに含まれるピン番号の中から一つ選択される識別子であり、各ネットデータで示される配線パターンの検査はそれぞれ、各ネットデータの代表ピンである接触子と他のピン番号で示される接触子との間で行われる。
【００３３】
なお、検査種類情報として、導通検査を示す情報と短絡検査を示す情報とが用いられる例を示したが、例えば公知の４端子測定法（ケルビン法）による抵抗値測定を示す検査種類情報や、検査対象配線パターンと他の配線パターンとの間における静電容量に基づいて、当該パターン間の短絡の有無を検査する静電容量検査等、他の種類の検査を示す情報を検査種類情報として用いてもよい。
【００３４】
図３に示す検査箇所データは、例えば、ピン番号「１１１」と「１１２」の接触子を用いて、すなわちパッドＡ１とＡ２との間の抵抗値を測定し、基準値を１０ｍΩ±５ｍΩとして導通検査を行うことが示されている。また、例えば、ピン番号「１１１」と「１１４」の接触子について、すなわち配線パターン６１のパッドＡ１と配線パターン６２のパッドＢ１との間の抵抗値を測定し、基準値を１０ｋΩとして短絡検査を行うことが示されている。
【００３５】
検査箇所データ記憶部１２２に記憶されている基準値は、例えば、複数の良品の基板６において、図３に示す各検査箇所について抵抗値を予め測定し、良品と判断するための抵抗値の範囲を取得することにより得られる。
【００３６】
判定部１２３は、抵抗測定部１０３により測定された抵抗値に基づいて、検査対象配線パターンの抵抗値が検査箇所データ記憶部１２２に記憶されている基準値の範囲内の場合に良判定を行う導通検査と、絶縁されているべき異なる配線パターン間の抵抗値が基準値以上である場合に良判定を行う短絡検査とを実行する。
【００３７】
また、判定部１２３による検査対象配線パターンの検査結果が不良であった場合、判定部１２３は、通信部１０５に、当該検査を行った検査箇所を示すピン番号、基準値、及び検査種類を表す検査対象情報を、ネットワーク５を介して再検査用基板検査装置３とサーバ４へ送信させる。
【００３８】
基板検査装置２の構成は、基板検査装置１と同様であるのでその説明を省略する。
【００３９】
図４は、再検査用基板検査装置３の構成の一例を説明するための図である。図４に示す再検査用基板検査装置３は、移動プローブ３０１，３０２、抵抗測定部３０３、検査制御部３０４、通信部３０５、及び位置決め制御部３０６を備える。
【００４０】
移動プローブ３０１，３０２は、それぞれ独立してＸ軸、Ｙ軸及びＺ軸方向へ駆動する図略の駆動機構に支持されており、それぞれ位置決め制御部３０６からの制御信号に応じてＸ軸、Ｙ軸及びＺ軸方向に移動制御される。位置決め制御部３０６は、例えば公知のＮＣ(Numeric Control)制御装置により構成されており、Ｘ軸、Ｙ軸及びＺ軸によりＸＹＺ直交座標系構成する。そして、位置決め制御部３０６は、検査制御部３０４から出力されたＸＹ座標データに応じて前記駆動機構を駆動させる。これにより、移動プローブ３０１，３０２は、所定の検査位置に位置決めされた基板６の平面と平行な平面上の座標を規定する、Ｘ軸、Ｙ軸方向に移動されて、基板６上の所定測定点に相当する位置に移動された後、基板６に向かうＺ軸方向に駆動される。移動プローブ３０１，３０２が、基板６上の測定点に当接し、弾性的に接触することにより、基板６上の任意の２測定点の間の抵抗値測定が行われる。
【００４１】
抵抗測定部３０３は、抵抗測定部１０３と同様に構成されており、移動プローブ３０１，３０２の間に生じる電気抵抗を測定する。そして、抵抗測定部３０３は、測定した抵抗値を示すデータを検査制御部３０４へ出力する。
【００４２】
通信部３０５は、基板検査装置１，２及びサーバ４と、再検査用基板検査装置３との間でネットワーク５を介して相互にデータ送受信可能にするための通信インターフェイス回路であり、基板検査装置１，２からネットワーク５を介して送信されてきた検査対象情報を受信する。
【００４３】
検査制御部３０４は、再検査用基板検査装置３全体の動作を司るもので、例えば再検査用基板検査装置３の動作を制御するための制御プログラム、基板検査装置１，２からネットワーク５を介して送信されてきた検査対象情報に含まれるピン番号をＸＹ座標データに変換するための変換プログラムや検査対象となる配線の良否を判定するための判定プログラム等を記憶するＲＯＭ(Read Only Memory)、プログラムの実行中や実行後に生じるデータを一時的に保管するＲＡＭ(Random Access Memory)、及び制御プログラム等をＲＯＭから読み出して実行するＣＰＵ(Central Processing Unit)等から構成される。
【００４４】
また、検査制御部３０４は、通信部３０５により受信された検査対象情報を記憶する不良データ記憶部３１０と、検査対象情報に含まれるピン番号とＸＹ座標データとを関連付けた変換テーブルを記憶しているテーブル記憶部３１１とを備える。不良データ記憶部３１０及びテーブル記憶部３１１は、例えば半導体メモリやハードディスク装置等から構成されている。図５は、テーブル記憶部３１１に記憶されている変換テーブルの一例である変換テーブル３１４を示す図である。変換テーブル３１４において、例えばピン番号「１１１」はＸＹ座標（Ｘ1，Ｙ1）と、ピン番号「１１３」はＸＹ座標（Ｘ3，Ｙ3）と関連付けられている。また、検査制御部３０４は、前記変換プログラムを実行することにより変換部３１２として機能し、前記判定プログラムを実行することにより判定部３１３として機能する。
【００４５】
変換部３１２は、テーブル記憶部３１１に記憶されている変換テーブル３１４に基づいて、検査対象情報に含まれるピン番号をＸＹ座標データに変換する。判定部３１３は、抵抗測定部３０３により測定された抵抗値について、不良データ記憶部３１０に記憶されている検査対象情報により示される基準値に基づいて、検査種類情報により示される導通検査又は短絡検査のいづれかの検査に応じた良否判定を行う。通信部３０５は、判定部３１３による判定結果を再検査データとしてネットワーク５を介してサーバ４へ送信する。
【００４６】
図１を参照してサーバ４は、基板検査装置１，２、及び再検査用基板検査装置３からネットワーク５を介して送信されてきた検査対象情報や、再検査データを受信すると共に記憶し、ユーザーがサーバ４を用いて検査対象情報や再検査データを参照したり、利用したりすることを可能にしている。
【００４７】
次に、図１に示す基板検査システム１００の動作を説明する。図６は、図１に示す基板検査システム１００の動作を説明するための図である。図６において、横線は左から右方向へ時間の経過を示している。図６に示す基板検査装置１，２、再検査用基板検査装置３、及びサーバ４は、時間的に平行して動作しており、基板検査装置１と基板検査装置２とは、それぞれ基板の量産ラインで製造された基板６の検査を行う。すなわち、図２を参照してユーザーが基板検査装置１に検査対象となる基板６をセットすることにより、図略の搬送機構により基板６が搬送され、図略の基板ホルダーに保持されると共に検査位置に位置決めされる。検査制御部１０４からの制御信号に応じて多針状プローブ１０１が下降され、接触子１１１，１１２，１１３，１１４，１１５，１１６，１１７が、それぞれパッドＡ１，Ａ２，Ａ３，Ｂ１，Ｂ２，Ｂ３，Ｂ４と接触する。
【００４８】
次に、検査制御部１０４によって、検査箇所データ記憶部１２２に記憶されている、図３に示す検査箇所データが読み出される。そして、検査制御部１０４によって、検査箇所データ記憶部１２２から読み出された検査箇所データに基づいて、基板６の検査が行われる。具体的には、当該検査箇所データで示される検査箇所、すなわち、ピン番号「１１１」と「１１２」とを指定する制御信号が検査制御部１０４から切替部１０２へ出力され、切替部１０２によって、接触子１１１と接触子１１２とが抵抗測定部１０３へ接続される。そして、抵抗測定部１０３によって、接触子１１１と接触子１１２との間、すなわちパッドＡ１とパッドＡ２との間の抵抗値が測定されると共に、その抵抗値を示すデータが検査制御部１０４へ出力される。
【００４９】
次に、判定部１２３によって、ピン番号「１１１」，「１１２」に関連付けて検査箇所データ記憶部１２２に記憶されている基準値及び検査種類と、抵抗測定部１０３により測定された抵抗値とに基づき、パッドＡ１とパッドＡ２との間の良否判定が行われる。具体的には、判定部１２３によって、抵抗測定部１０３により測定された抵抗値に対して、基準値を１０ｍΩ±５ｍΩとする導通検査が行われる。そして、抵抗測定部１０３により測定された抵抗値が基準値の範囲に入っている場合、判定部１２３によって、パッドＡ１とパッドＡ２との間の検査は良と判定される。
【００５０】
同様にして、判定部１２３によって、検査箇所データ記憶部１２２に記憶されている検査箇所データに基づいて、接触子１１１と接触子１１３との間、接触子１１４と接触子１１５との間、接触子１１４と接触子１１６との間、接触子１１４と接触子１１７との間、及び接触子１１１と接触子１１４との間について検査が行われる。
【００５１】
今、判定部１２３によって、接触子１１１と接触子１１３との間の導通検査結果が不良と判定された場合、当該検査箇所について再検査用基板検査装置３に再検査をおこなわせるべく、図６に示す基板検査装置１のイベントＦ１において、ピン番号「１１１」，「１１３」、基準値１０ｍΩ±５ｍΩ、及び検査種類「導通」を表す検査対象情報が、通信部１０５からネットワーク５を介して、再検査用基板検査装置３とサーバ４へ送信される。この場合、例えば、検査対象情報は、電子ファイルのフォーマットにされて、ファイル名「ＦＩＬＥ１」として通信部１０５から再検査用基板検査装置３とサーバ４へ送信される。
【００５２】
なお、検査対象情報には、例えば、基板６の品種名、ロット番号、抵抗測定部１０３により測定された抵抗値、あるいは基板６が複数のワーク片から構成されている場合等に各ワーク片等を特定するブロック番号、検査対象の基板や検査結果に関する情報等、適宜他の情報を含んでもよい。
【００５３】
次に、図４に示す再検査用基板検査装置３の動作を説明する。図７は、再検査用基板検査装置３の動作の一例を示すフローチャートである。まず、再検査用基板検査装置３において、検査対象情報を表すデータファイル「ＦＩＬＥ１」が、ネットワーク５を介して通信部３０５により受信され（ステップＳ１）、データファイル「ＦＩＬＥ１」が不良データ記憶部３１０によって記憶される（ステップＳ２）。そして、ユーザーが、再検査用基板検査装置３の図略の基板ホルダーにイベントＦ１において不良と判定された基板６を保持させると共に検査位置に位置決めさせると、検査制御部３０４からの制御信号に応じて基板６の検査が開始され、ステップＳ３へ移行する。
【００５４】
次に、ステップＳ３において、変換部３１２により、テーブル記憶部３１１に記憶されている変換テーブル３１４に基づいて、データファイル「ＦＩＬＥ１」で示される検査対象情報に含まれるピン番号がＸＹ座標データに変換される。具体的には、データファイル「ＦＩＬＥ１」で示される検査対象情報に含まれるピン番号「１１１」，「１１３」が、変換テーブル３１４により各々関連付けられているＸＹ座標（Ｘ1，Ｙ1），（Ｘ3，Ｙ3）に、各々変換される。
【００５５】
次に、ステップＳ４において、検査制御部３０４から位置決め制御部３０６へ、移動プローブ３０１をＸＹ座標（Ｘ1，Ｙ1）に、移動プローブ３０２をＸＹ座標（Ｘ3，Ｙ3）に移動させるべくＸＹ座標データが出力され、位置決め制御部３０６からの制御信号に応じて移動プローブ３０１が基板６上のＸＹ座標（Ｘ1，Ｙ1）、すなわちパッドＡ１上に移動されると共に弾接される一方、移動プローブ３０２が基板６上のＸＹ座標（Ｘ3，Ｙ3）、すなわちパッドＡ３上に移動されると共に弾接される。
【００５６】
これにより、基板６に形成された配線パターン６１上の検査点であるパッドＡ１とパッドＡ３とをピン番号により特定する基板検査装置１によって得られた不良配線パターンの検出結果を用いて、基板６に形成された配線パターン６１上の検査点であるパッドＡ１とパッドＡ３とをＸＹ座標により特定する再検査用基板検査装置３によって、再検査することができる。
【００５７】
次に、ステップＳ５において、抵抗測定部３０３によって、移動プローブ３０１，３０２の間の電気抵抗が測定されると共に、抵抗測定値を示すデータが検査制御部３０４へ出力される。そして、判定部３１３によって、抵抗測定部３０３により測定された抵抗値について、不良データ記憶部３１０に記憶されている検査対象情報であるデータファイル「ＦＩＬＥ１」により示される基準値１０ｍΩ±５ｍΩ、及び検査種類情報「導通」に基づいて、当該抵抗測定値が１０ｍΩ±５ｍΩの範囲に入っているか否かが確認される。そして、判定部３１３によって、その確認の結果、当該抵抗測定値が１０ｍΩ±５ｍΩの範囲に入っている場合は再検査結果が「良」と判定される一方、当該抵抗測定値が１０ｍΩ±５ｍΩの範囲に入っていない場合は再検査結果が「不良」と判定される。
【００５８】
この場合、基板検査装置１から送信されてきた検査種類情報に応じた種類の検査が再検査用基板検査装置３において実行されるので、基板検査装置１は、再検査用基板検査装置３に、複数種類の再検査を実行させることができる。
【００５９】
また、例えば、検査箇所を検査するための基準値を検査対象情報として基板検査装置１から再検査用基板検査装置３へ送信するのではなく、予め再検査用基板検査装置３が基板６の検査のための基準値を記憶しておく構成としてもよいが、予め再検査用基板検査装置３が基板６の検査のための基準値を記憶しておく場合には、以下のような不都合が生じるおそれがある。
【００６０】
すなわち、複数の検査用接触子を同時に検査点に接触させる方式の基板検査装置１では、検査用接触子を移動させる必要がないので、検査箇所データにおける代表ピンのピン番号が任意に決定され、その代表ピンのピン番号と他のピン番号とについて検査箇所およびその基準値が設定される。一方、移動式の検査用接触子を用いる方式の再検査用基板検査装置３においては、検査時間を短縮させるために、例えば移動プローブ３０１，３０２を移動させる距離が短くなるように、代表ピンに相当する代表パッドが決定され、その代表パッドと他のパッドとについて検査箇所およびその基準値が設定される。そうすると、基板検査装置１で用いられる検査箇所データの代表ピンに対応するパッドと、再検査用基板検査装置３で用いられる検査箇所データの代表パッドとは、異なるパッドになる可能性が高く、基板検査装置１における検査箇所に対する検査用基準値が、再検査用基板検査装置３が予め記憶している検査箇所データに含まれない結果、再検査ができない可能性が高い。
【００６１】
しかし、本発明に係る基板検査システム１００においては、検査箇所を検査するための基準値を検査対象情報として基板検査装置１から再検査用基板検査装置３へ送信するので、再検査用基板検査装置３は、基板検査装置１において任意に決定された代表ピンに関わりなく、検査を行うことができる。
【００６２】
次に、通信部３０５によって、判定部３１３による再検査結果を示すデータがネットワーク５を介してサーバ４へ送信され（ステップＳ６）、検査制御部３０４によって、不良データ記憶部３１０に記憶されているデータファイル「ＦＩＬＥ１」が削除される（ステップＳ７）。
【００６３】
以上、ステップＳ１〜Ｓ７の処理により、基板検査装置１における基板６の検査結果が不良であった場合、当該検査箇所について再検査用基板検査装置３を用いて再検査を行うことができる。同様にして、図６に示すように、基板検査装置２における基板６の検査結果が不良であった場合についても、例えば基板検査装置２から再検査用基板検査装置３へ、検査対象情報を表すデータファイル「ＦＩＬＥ２」を送信することにより、当該検査箇所について再検査用基板検査装置３を用いて再検査を行うことができる。
【００６４】
また、基板の検査時間を低減することができる多針状プローブ１０１を用いた基板検査装置１によって得られた不良配線パターンの検出結果を用いて、高価な専用の治具を被検査基板の種類毎に作成する必要がない移動式プローブを用いた再検査用基板検査装置３によって再検査を行うことができるので、基板検査システム１００のコストを低減することができる。
【００６５】
さらに、再検査用基板検査装置３として移動式プローブを用いた方式の検査装置を用いることができるので、例えば、図６において基板検査装置１と基板検査装置２とで異なる種類の基板を検査する場合であっても、各基板専用の治具を用いる必要がなく、複数種類の基板に対する再検査の実行が容易である。
【００６６】
また、例えば、図６に示すように、基板検査装置１，２において、イベントＦ１，Ｆ２，Ｆ３のタイミングでそれぞれ検査対象情報を表すデータファイル「ＦＩＬＥ１」，「ＦＩＬＥ２」，「ＦＩＬＥ３」が、再検査用基板検査装置３へ送信された場合であっても、データファイル「ＦＩＬＥ１」，「ＦＩＬＥ２」，「ＦＩＬＥ３」は、それぞれ不良データ記憶部３１０に記憶され、順次再検査が実行され、その再検査結果１，２，３が再検査用基板検査装置３からサーバ４へ送信されるので、複数の基板検査装置１，２を平行動作させた場合の再検査用基板検査装置３による再検査の実行を管理することが容易である。
【００６７】
なお、再検査用基板検査装置３がテーブル記憶部３１１と変換部３１２とを備える例を示したが、サーバ４（基板検査補助装置）がテーブル記憶部３１１と変換部３１２とを備え、サーバ４が、基板検査装置１，２から送信されてきた検査対象情報（第１の検査対象情報）に含まれるピン番号（検査点記号）をＸＹ座標に変換し、当該変換後の検査対象情報を再検査用基板検査装置３へ送信し、再検査用基板検査装置３は、当該変換後の検査対象情報（第２の検査対象情報）に基づいて基板６の検査を行う構成としてもよい。
【００６８】
特に、基板検査プログラムを記録した記録媒体（例えば、フレキシブルディスク、ＣＤ−ＲＯＭ、ＭＯ，ＤＶＤ−ＲＯＭ等）から基板検査プログラムをインストールすることによって、サーバ４をこのように機能させることができる。
【００６９】
また、基板検査システム１００は、最初に基板６の検査を行う基板検査装置を基板検査装置１，２の二台備え、基板６の再検査を行う再検査用基板検査装置３を一台備える例を示したが、最初に基板６の検査を行う基板検査装置は一台又は三台以上であってもよく、再検査用基板検査装置もまた複数台であってもよい。
【図面の簡単な説明】
【００７０】
【図１】本発明の一実施形態に係る基板検査システムの構成の一例を示す図である。
【図２】図１に示す基板検査装置の構成の一例を説明するための図である。
【図３】検査箇所データ記憶部に記憶されている検査箇所データの一例を示す図である。
【図４】図１に示す再検査用基板検査装置の構成の一例を説明するための図である。
【図５】テーブル記憶部に記憶されている変換テーブルの一例を示す図である。
【図６】図１に示す基板検査システムの動作を説明するための図である。
【図７】図４に示す再検査用基板検査装置の動作の一例を示すフローチャートである。
【符号の説明】
【００７１】
１，２  基板検査装置（第１の基板検査装置）
３    再検査用基板検査装置（第２の基板検査装置）
４    サーバ
５    ネットワーク
６    基板
６１，６２  配線パターン
１００  基板検査システム
１０１  多針状プローブ（多針状接触子）
１０２  切替部
１０３，３０３  抵抗測定部
１０４，３０４  検査制御部
１０５  通信部（送信手段）
１１１，１１２，１１３，１１４，１１５，１１６，１１７  接触子
１２１  基板データ記憶部
１２２  検査箇所データ記憶部
１２３，３１３  判定部
３０１，３０２  移動プローブ（移動式接触子）
３０５  通信部（受付手段）
３０６  位置決め制御部
３１０  不良データ記憶部
３１１  テーブル記憶部
３１２  変換部
Ａ１，Ａ２，Ａ３，Ｂ１，Ｂ２，Ｂ３，Ｂ４  パッド
【図１】
2005069864.tif 000003
【図２】
2005069864.tif 000004
【図３】
2005069864.tif 000005
【図４】
2005069864.tif 000006
【図５】
2005069864.tif 000007
【図６】
2005069864.tif 000008
【図７】
2005069864.tif 000009